(57)【要約】【課題】インバータ部がウレタン樹脂等でモールドされ、電気的接続部の接合信頼性に優れたインバータ一体型電動圧縮機を提供する。【解決手段】モータが内蔵され、インバータを含むモータ駆動回路が圧縮機ハウジングで囲まれた収容空間内に設けられたインバータ一体型電動圧縮機において、インバータに接続された導線の端子のカシメ部が、収容空間に充填される樹脂によってインバータごとモールドされており、該カシメ部における外部への開放間隙が、予め、間隙封止材により被覆、封止されているインバータ一体型電動圧縮機。【選択図】図４
2010112338.tif 000002
【特許請求の範囲】
【請求項１】
モータが内蔵され、インバータを含むモータ駆動回路が圧縮機ハウジングで囲まれた収容空間内に設けられたインバータ一体型電動圧縮機において、前記インバータに接続された導線の端子のカシメ部が、前記収容空間に充填される樹脂によってインバータごとモールドされており、該カシメ部における外部への開放間隙が、予め、間隙封止材により被覆、封止されていることを特徴とするインバータ一体型電動圧縮機。
【請求項２】
前記導線の先端断面部も、前記間隙封止材で被覆されている、請求項１に記載のインバータ一体型電動圧縮機。
【請求項３】
前記間隙封止材が半田からなる、請求項１または２に記載のインバータ一体型電動圧縮機。
【請求項４】
車両に搭載される圧縮機からなる、請求項１〜３のいずれかに記載のインバータ一体型電動圧縮機。
【発明の詳細な説明】
【技術分野】
【０００１】
本発明は、インバータを含むモータ駆動回路が圧縮機内に組み付けられたインバータ一体型電動圧縮機に関し、とくに、インバータ部がウレタン樹脂等でモールドされたインバータ一体型電動圧縮機に関する。
【背景技術】
【０００２】
インバータを含むモータ駆動回路が圧縮機内に組み付けられたインバータ一体型電動圧縮機の構造として、モータ駆動回路が絶縁用樹脂モールド材によって被覆され、該樹脂モールド材中に埋設されるようにした構造が知られている（例えば、特許文献１）。このような圧縮機のインバータ部に高電圧を入力するためのリード線は、例えば、圧着端子からなる高電圧用コネクタ（ＨＶコネクタ）を介してインバータ部の回路基板にビス接続されることによりインバータ部と接続される。
【特許文献１】特開２００２−７０７４３号公報
【発明の開示】
【発明が解決しようとする課題】
【０００３】
特許文献１に記載されるインバータ一体型電動圧縮機においては、インバータ部を構成する部品等を熱や振動から保護するために、モータ駆動回路を収容する空間にウレタン樹脂等のモールド材が充填されている。しかし、この充填作業の際に、ＨＶコネクタのカシメ部における導線の間隙にモールド材が流入してしまうと、圧縮機の運転状態が変動することに伴うＨＶコネクタの温度変化によって、モールド材が膨張、収縮を繰り返し、ＨＶコネクタのカシメ部における接続信頼性が低下するおそれがある。
【０００４】
そこで本発明の課題は、インバータ部がウレタン樹脂等でモールドされており、かつ、電気的接続部の接合信頼性に優れたインバータ一体型電動圧縮機を提供することにある。
【課題を解決するための手段】
【０００５】
上記課題を解決するために、本発明に係るインバータ一体型電動圧縮機は、モータが内蔵され、インバータを含むモータ駆動回路が圧縮機ハウジングで囲まれた収容空間内に設けられたインバータ一体型電動圧縮機において、前記インバータに接続された導線の端子のカシメ部が、前記収容空間に充填される樹脂によってインバータごとモールドされており、該カシメ部における外部への開放間隙が、予め、間隙封止材により被覆、封止されていることを特徴とするものからなる。
【０００６】
本発明のインバータ一体型電動圧縮機は、インバータに接続された導線の端子のカシメ部における外部への開放間隙が間隙封止材で被覆または封止された状態で、インバータごとモールドされているので、カシメ部の内部間隙にモールド材が流入することがなく、カシメ部の接続信頼性が確保されている。上記間隙封止材としては、ＨＶコネクタの温度変化によって膨張または収縮する度合が小さい材料を用いることが好ましい。このような材料を用いることにより、上記カシメ部の接続信頼性を十分に確保することが可能となる。
【０００７】
また、上記開放間隙内が上記間隙封止材によって効率的に被覆、封止されるようにするために、間隙封止材としては、加熱等によって一時的に流動状態を呈し、冷却等によって固化する材料を用いることが好ましい。具体的には、半田からなる間隙封止材が好適に利用可能である。例えば、加熱した半田ごてにより半田を一時的に流動状態とし、この状態で半田を上記開放間隙内に流入させ、自然冷却又は強制冷却によって半田を固化させることにより、カシメ部における外部への開放間隙の被覆および封止を効率的に達成することが可能である。
【０００８】
また、本発明において、上記開放間隙の内部が被覆、封止されたとしても、導線の先端断面部が露出していると、その先端断面部の凹凸に付着したモールド材が膨張および収縮を繰り返すことにより、導線の先端に応力がかかり、上記カシメ部の接続信頼性が低下するおそれがある。そこで、導線の先端断面部の凹凸を覆い隠すように、上記導線の先端断面部が上記間隙封止材によって被覆されることが好ましい。
【０００９】
本発明に係るインバータ一体型電動圧縮機は、実質的にあらゆるタイプの圧縮機に適用可能であるが、とくに、狭いスペースに搭載されることが多く、モータ駆動回路が熱や振動の影響を受けやすい、車両に搭載される圧縮機として好適に用いることが可能である。
【発明の効果】
【００１０】
本発明に係るインバータ一体型電動圧縮機によれば、インバータに接続された導線の端子のカシメ部における外部への開放間隙が予め間隙封止材で被覆、封止された状態にて、圧縮機ハウジングで囲まれた収容空間がインバータごとモールドされているので、インバータに接続された導線の端子のカシメ部の内部にモールド材が入り込むことがなくなり、カシメ部の接続安定性、接続信頼性を確保することが可能である。
【発明を実施するための最良の形態】
【００１１】
以下に、本発明の望ましい実施の形態を、図面を参照して説明する。
図１は、本発明の一実施態様に係るインバータ一体型電動圧縮機１の基本構成として、車両空調装置用のスクロール型電動圧縮機の例を示している。図１において、２は、固定スクロール３と可動スクロール４からなる圧縮機構を示している。可動スクロール４は、ボールカップリング５を介して自転が阻止された状態で、固定スクロール３に対して旋回されるようになっている。圧縮機ハウジング（センターハウジング）６内には、モータ７が組み込まれており、この内蔵モータ７によって主軸８（回転軸）が回転駆動される。主軸８の一端側に配設された偏心ピン９、それに対して回転自在に係合された偏心ブッシュ１０を介して、主軸８の回転運動が可動スクロール４の旋回運動に変換されるようになっている。本実施態様では、被圧縮流体としての冷媒を吸入する吸入ポート１１が圧縮機ハウジング（フロントハウジング）１２に設けられており、吸入された冷媒は、モータ７配置部を通して圧縮機構２へと導かれ、圧縮機構２で圧縮された冷媒は、吐出孔１３、吐出室１４、圧縮機ハウジング（リアハウジング）１５に設けられた吐出ポート１６を通して外部回路に送られる。
【００１２】
上記モータ７の駆動用回路２１は、圧縮機ハウジング１２（フロントハウジング）内に設けられており、より詳しくは、圧縮機ハウジング１２に形成された冷媒吸入経路側との仕切壁２２の外面側にモータ駆動回路２１が設けられている。モータ駆動回路２１は、仕切壁２２を貫通させて取り付けられた密封端子２３（モータ駆動回路２１の出力端子）、リード線２４を介してモータ７に給電し、密封端子２３設置部では、冷媒吸入経路側とモータ駆動回路２１設置側とがシールされている。モータ駆動回路２１を仕切壁２２の外面側に設けることによって、仕切壁２２を介して、モータ駆動回路２１を含む電気部品の少なくとも一部が、吸入冷媒と熱交換可能となっており、吸入冷媒によって冷却可能となっている。
【００１３】
モータ駆動回路２１は、インバータ機能を有するＩＰＭ（Intelligent Power Module）２５と制御回路２６とを含んでおり、それとは別体にあるいは一体にコンデンサ２７等の電気部品が設けられている。このモータ駆動回路２１は、入力端子としてのコネクタ２８を介して外部電源（図示略）と接続される。これらモータ駆動回路２１を含む電気部品を実装した圧縮機ハウジング１２の外部への開口側は、蓋部材２９でシールされた状態で覆われており、これら電気部品が蓋部材２９により保護されている。
【００１４】
上記のような構成を電気回路的に示すと、例えば図２のようになる。図２において、電動圧縮機１にはモータ駆動回路２１が設けられており、モータ駆動回路２１からの出力が密封端子２３、リード線２４を介して内蔵モータ７の各モータ巻線４１に給電されることによりモータ７が回転駆動され、圧縮機構２による圧縮が行われる。モータ駆動回路２１は、モータ駆動用高電圧回路３０と、モータ駆動用高電圧回路３０内のインバータ４２の各パワー素子４３（スイッチング素子）を制御するためのモータ制御回路４４を備えた制御用低電圧回路４５を有しており、この制御用低電圧回路４５が図１に示した制御回路２６内に構成されている。外部電源４６（例えば、バッテリー）からの電力が、高電圧用コネクタ４７を通してモータ駆動用高電圧回路３０へ給電され、ノイズフィルタ３７、平滑用のコンデンサ２７を介してインバータ４２に供給され、インバータ４２で電源４６からの直流が疑似三相交流に変換された後、モータ７へと供給される。モータ制御回路４４へは、例えば、車両の空調制御装置４８から、低電圧の電力が制御信号用コネクタ４９を介して供給される。図２では、この制御信号用コネクタ４９と、高電圧用コネクタ４７とは、離れた位置に図示してあるが、実際には、図１に示した同一のコネクタ２８内に装備されている。制御回路２６に、シールドプレート３１が固定され、このシールドプレート３１が、図２に示すように、モータ駆動用高電圧回路３０と制御用低電圧回路４５を備えた制御回路２６との間に介在され、モータ駆動用高電圧回路３０を極力広い範囲にわたって覆い、モータ駆動用高電圧回路３０から制御用低電圧回路４５側へのノイズの影響を抑制している。
【００１５】
図３は、図１の圧縮機１において、圧縮機ハウジング（フロントハウジング）１２で囲まれた収容空間６０内にモータ駆動回路２１が収容されている状態を示す斜視図である。収容空間６０内にはケース部材５８とＩＰＭ２５が収められている。また、圧着端子からなる高電圧用コネクタ４７は、リード線２４の先端にカシメ接続されている。高電圧用コネクタ４７は、ケース部材５８にビスで固定されており、ケース部材５８の裏面に設置されたノイズフィルタ３７とコンデンサ２７との間で電気的に接続されている。
【００１６】
図４は、図３の高電圧用コネクタ４７とリード線２４を接続するカシメ部を示しており、（Ａ）はカシメ部を被覆していない状態の斜視図、（Ｂ）はカシメ部を半田で被覆した状態の斜視図である。図４（Ａ）において、高電圧用コネクタ４７はリード線２４にカシメ接続されている。カシメ部６１において、リード線２４の被覆により束ねられた複数の導線６２は、外部への開放間隙６３を形成しており、この開放間隙６３にウレタン樹脂等からなるモールド材が入り込むと、カシメ部６１の接続信頼性が低下する。そこで、図４（Ｂ）に示されるように、開放間隙６３に間隙封止材としての半田６４を流入させ、この状態にてモールド材を図３の収容空間６０内に充填させてインバータ４２ごとモールドすることにより、カシメ部６１へのモールド材の流入が防止される。とくに、図４（Ｂ）のように導線６２の先端断面部を半田６４で完全に被覆することにより、この部分にモールド材が付着した場合にも、カシメ部６１の接続信頼性を十分に確保することが可能となる。
【産業上の利用可能性】
【００１７】
本発明に係るインバータ一体型電動圧縮機は、実質的にあらゆるタイプの圧縮機に適用可能であるが、とくに、狭いスペースに搭載されることが多く、モータ駆動回路が熱や振動の影響を受けやすい、車両に搭載される圧縮機として好適に用いることができる。
【図面の簡単な説明】
【００１８】
【図１】本発明の一実施態様に係るインバータ一体型電動圧縮機の基本構成を示す概略縦断面図である。
【図２】図１の圧縮機を含む空調制御機構を電気回路的に示した構成図である。
【図３】図１のフロントハウジングで囲まれた収容空間内にモータ駆動回路が収容された状態を示す斜視図である。
【図４】図３のＨＶコネクタとリード線を接続するカシメ部を示し、（Ａ）は未被覆状態の斜視図、（Ｂ）は被覆状態の斜視図である。
【符号の説明】
【００１９】
１  インバータ一体型電動圧縮機
２  圧縮機構
３  固定スクロール
４  可動スクロール
５  ボールカップリング
６  圧縮機ハウジング（センターハウジング）
７  モータ
８  主軸
９  偏心ピン
１０  偏心ブッシュ
１１  吸入ポート
１２  圧縮機ハウジング（フロントハウジング）
１３  吐出孔
１４  吐出室
１５  圧縮機ハウジング（リアハウジング）
１６  吐出ポート
２１  モータ駆動回路
２２  仕切壁
２３  密封端子
２４  リード線
２５  ＩＰＭ
２６  制御回路
２７  コンデンサ
２８  コネクタ
２９  蓋部材
３０  モータ駆動用高電圧回路
３１  シールドプレート
３７  ノイズフィルタ
４１  モータ巻線
４２  インバータ
４３  パワー素子
４４  モータ制御回路
４５  制御用低電圧回路
４６  外部電源
４７  高電圧用コネクタ（ＨＶコネクタ）
４８  空調制御装置
４９  制御信号用コネクタ
５８  ケース部材
６０  収容空間
６１  カシメ部
６２  導線
６３  開放間隙
６４  間隙封止材としての半田
【図１】
2010112338.tif 000003
【図２】
2010112338.tif 000004
【図３】
2010112338.tif 000005
【図４】
2010112338.tif 000006